(57)【特許請求の範囲】
【請求項１】
容器体１上面から、前面下部をロッド出入口６とするフック２を起立する、フック付き吊下げ容器において、上記フック２を弾性変形可能にかつ該フック２の先端部を斜下後方への傾斜棒４に形成し、該傾斜棒４下端と容器体１上面との間が形成するロッド出入口６の上下巾を、ロッド５の直径よりも短かく形成し、該ロッド出入口６をロッド５へ押付けすることでのフック２の弾性変形により、ロッド５がロッド出入口６を通過可能に形成し、上記フック２起立部分の内面下部より前方へ延設するとともに、前端7aを下方へ屈曲下降させ当該前端7aを出入口６下方の容器体上面部分へ近接ないし当接させた板バネ７を一体に付設して、フック２をロッド５へ吊下げした状態で板バネ７の上面とフック２の上部下面と傾斜棒４の下端とがロッド５を挟持可能に形成したことを特徴とするフック付き吊下げ容器。
【請求項２】
容器体１上面から、前面下部をロッド出入口６とするフック２を起立する、フック付き吊下げ容器において、上記フック２を弾性変形可能にかつ該フック２の先端部を斜下後方への傾斜棒４に形成し、該傾斜棒４下端と容器体１上面との間が形成するロッド出入口６の上下巾を、ロッド５の直径よりも短かく形成し、該ロッド出入口６をロッド５へ押付けすることでのフック２の弾性変形により、ロッド５がロッド出入口６を通過可能に形成し、上記フック２の内面後部に板バネ７を一体に垂設して、フック２をロッド５へ吊下げした状態で、該板バネ７の前面とフック２の上部下面と傾斜棒４の下端とがロッド５を挟持可能に形成したことを特徴とするフック付き吊下げ容器。
【発明の詳細な説明】
【０００１】
【発明の属する技術分野】
本発明は、主として洋服箪笥等の内部へ吊下げる、防虫剤、芳香剤収納用のフック付き吊下げ容器に関する。
【０００２】
【従来の技術】
上記容器として、例えば特開平9-322689号、特開平11-130081 号等が知られている。
【０００３】
前者はフック自由端から爪を垂下して、該爪が容器のフック吊下げ用ロッドへ係合してそのロッドからフックが外れ難くしたものであり、又後者はそのフックを弾性変形可能として、上記ロッドへのフック嵌合時には、そのフックが有するロッドが出入口が弾性拡開してその嵌合が容易である反面、そのロッド出入口の弾性復元による狭小化で、フックが外れ難く設けたものである。
【０００４】
【発明が解決しようとする課題】
本発明は上記従来例とは異なる機構とすることで、上記ロッドへのフックの掛吊りが容易であると共に、ロッドへの掛吊り時においては、洋服箪笥へ出入させる洋服等が容器に触れることで不用意な脱落は生じないよう設けたものである。
【０００５】
【課題を解決するための手段】
第１の手段として、容器体１上面から、前面下部をロッド出入口６とするフック２を起立する、フック付き吊下げ容器において、上記フック２を弾性変形可能にかつ該フック２の先端部を斜下後方への傾斜棒４に形成し、該傾斜棒４下端と容器体１上面との間が形成するロッド出入口６の上下巾を、ロッド５の直径よりも短かく形成し、該ロッド出入口６をロッド５へ押付けすることでのフック２の弾性変形により、ロッド５がロッド出入口６を通過可能に形成し、上記フック２起立部分の内面下部より前方へ延設するとともに、前端7aを下方へ屈曲下降させ当該前端7aを出入口６下方の容器体上面部分へ近接ないし当接させた板バネ７を一体に付設して、フック２をロッド５へ吊下げした状態で板バネ７の上面とフック２の上部下面と傾斜棒４の下端とがロッド５を挟持可能に形成した。
【０００６】
第２の手段として、容器体１上面から、前面下部をロッド出入口６とするフック２を起立する、フック付き吊下げ容器において、上記フック２を弾性変形可能にかつ該フック２の先端部を斜下後方への傾斜棒４に形成し、該傾斜棒４下端と容器体１上面との間が形成するロッド出入口６の上下巾を、ロッド５の直径よりも短かく形成し、該ロッド出入口６をロッド５へ押付けすることでのフック２の弾性変形により、ロッド５がロッド出入口６を通過可能に形成し、上記フック２の内面後部に板バネ７を一体に垂設して、フック２をロッド５へ吊下げした状態で、該板バネ７の前面とフック２の上部下面と傾斜棒４の下端とがロッド５を挟持可能に形成したことを特徴とするフック付き吊下げ容器。
【０００９】
【発明の実施の形態】
まず図１が示す第１実施形態について説明すると、１は防虫剤、芳香剤等、収納用の公知の容器体であり、該容器体上面一部からは、前面下部を切欠いたリング形状のフック２を起立する。フック前方の容器体上面は斜下前方への傾斜面３としている。又フックの自由端部分は斜下後方への傾斜棒４に形成している。該フックは弾性変形可能に形成する。
【００１０】
上記傾斜棒４下面と、該下面下方の容器上面部分との間は、フック吊下げ用の例えば洋服箪笥等の内部に横設された、断面円形かつ水平なロッド５の出入口６を形成するが、該出入口の上下巾は、ロッド５の直径よりもやや短かく形成し、図示のように上記出入口６前面をロッド５の後面へ押付けた状態から、容器体１を前方へ押圧することで、フックが弾性変形して傾斜棒４下端が押上げられ、ロッド５がフック２内へ入り、同時に弾性復元により傾斜棒４が元位置へ弾性復元するよう設けている。又ロッド５へフック２を吊下げした状態から、容器体１を持ち上げしてフック下方の容器体上面部分へロッド５下面を当て、該状態から容器体１を後方へ引くと、ロッド５でフックの傾斜棒４下端が弾性に抗し押上げられてフック２をロッド５から取外しすることが出来る。
【００１１】
図２は第２実施形態を示す。該実施形態は、図１の場合と同様に容器体１およびフック２を形成し、又フック２の起立部分の下部内面から板バネ７を前部下方へ突出している。該板バネはその前端7aを出入口６下方の容器体上面部分へ近接ないし当接させ、又その前後方向中間部を上方へ弯曲させており、図１の場合のように出入口６をロッド５の後面へ当てて強制的にフック２をロッドへ押付けることで、フック２内へロッドを押込みしたとき、板バネ７はロッドにより容器体側へ押下げられた後、フックをロッドへ吊下げしたとき、図示のように板バネ７の前後方向中間部が弾性復元してロッド５下面へ接するものである。尚このとき傾斜棒４の下端内面もロッド５に接するよう設けるとよい。
【００１２】
図３は第３実施形態を示すもので、容器体１およびフック２は図１、図２の場合と同様に形成し、そのフック起立部の上部内面から板バネ７を下前方へ垂下させている。その板バネは、既述の場合と同様に操作してフックをロッド５へ吊下げたとき、板バネ７と傾斜棒４下端とがロッド５を挟持するよう設けている。即ちフック２内へロッド５が入ったとき、板バネ７はロッドに接して弾性変形し、ロッドへのフック吊下げ時にあってはその弾性によって上記のように挟持するものである。
【００１３】
図４は第４実施形態を示す。該実施形態は、既述各実施形態の場合と同様に設けた容器体１上面から、傾斜棒を有しない形状の弾性フック２を起立し、かつ該フックの起立部分の下部内面から、図２の場合と同様の板バネ７を前部下方へ突出するものである。
【００１４】
該実施形態の場合も第２実施形態の場合と同様の操作でロッド５へフック２を吊下げでき、該吊下げ状態において板バネ７はロッド５下面へ弾性圧接する。
【００１５】
該実施形態の場合は、図示例とは異り、ロッド直径よりもロッド出入口６の高さが大であってもよいが、フックの頂部内面と板バネ７の上面との距離をロッド直径よりも小とする。
【００１６】
図５は第５実施形態を示す。該実施形態も既述実施形態の場合と同様に設けた容器体１上面から、傾斜棒を有しない形状の弾性フック２を起立し、かつ第３実施形態の場合と同様に板バネ７を、フック２の起立部の上部内面から下前方へ垂下させたもので、第３実施形態の場合と同様に操作することで、ロッド５へフック２を吊下げでき、該吊下げ状態において板バネ７はロッド後面へ弾性圧接し、フック２の先端部内面はロッドの前面へ圧接することとなる。該実施形態の場合もロッド直径よりもロッド出入口６の高さが大であってもよいが、図示例ではロッド直径をロッド出入口６の高さより大としている。
【００１７】
尚既述各容器は、それぞれ合成樹脂材により形成している。
【００１８】
【発明の効果】
本発明は既述構成とするもので、ロッド５へフック２を吊下げする際は、相対的にロッド５が傾斜棒４下端を上方へ押上げすることとなるに対して、ロッドへの吊下げ状態からフック２を外す際は、ロッドが傾斜棒４下端を前方へ押す方向へ力が加えられることとなり、従ってロッドへのフック吊掛けは容易で、かつロッドからのフック取外しは行い難くすることが出来る。
【００１９】
また、ロッドに多少の径差があってもロッドへの吊下げ状態におけるロッドに対するフックのガタ付きをなくすことが出来、よって不用意にロッドからフックが外れることを防止することが出来る。
【図面の簡単な説明】
【図１】  本発明容器の側面図である。
【図２】  第２実施形態で示す、側面図である。
【図３】  第３実施形態で示す、側面図である。
【図４】  第４実施形態で示す、側面図である。
【図５】  第５実施形態で示す、側面図である。
【符号の説明】
１…容器体                    ２…フック
４…傾斜棒                    ５…ロッド
６…出入口                    ７…板バネ
【図１】
0004342756.tif 000002
【図２】
0004342756.tif 000003
【図３】
0004342756.tif 000004
【図４】
0004342756.tif 000005
【図５】
0004342756.tif 000006